(57)【要約】【課題】ファスナーテープの強度を低下することなく、スライドファスナーのファスナーテープの任意の位置にマークを付与することができるスライドファスナーのマーキング装置を提供する。【解決手段】スライドファスナー１００及び転写フィルム１５０が載置される長尺形状の基台２０と、基台２０に設けられ、転写フィルム１５０を加熱するヒーター３０と、スライドファスナー１００のファスナーテープ１２０を転写フィルム１５０に押圧する押圧部４０と、を備え、押圧部４０は、基台２０の長さ方向に沿って位置調節可能な複数の押圧子４２を有する。【選択図】図１
2013248801.tif 000002
【特許請求の範囲】
【請求項１】
スライドファスナー（１００）及び転写フィルム（１５０）が載置される長尺形状の基台（２０）と、
前記基台に設けられ、前記転写フィルムを加熱するヒーター（３０）と、
前記スライドファスナーのファスナーテープ（１２０）を前記転写フィルムに押圧する押圧部（４０）と、を備え、
前記押圧部は、前記基台の長さ方向に沿って位置調節可能な複数の押圧子（４２）を有することを特徴とするスライドファスナーのマーキング装置。
【請求項２】
前記押圧子（４２）は、前記押圧部（４０）に対して着脱可能であることを特徴とする請求項１に記載のスライドファスナーのマーキング装置。
【請求項３】
前記押圧子（４２）の押圧面（４４ａ）が凸凹形状に形成されることを特徴とする請求項１又は２に記載のスライドファスナーのマーキング装置。
【請求項４】
前記転写フィルム（１５０）は、テープ状の転写フィルムをロール状に巻いたものであり、
前記ロール状の転写フィルムを回転可能に支持する第１支持部（２５）と、使用済みの前記転写フィルムを巻き取る回収ボビン（１５１）を回転可能に支持する第２支持部（２６）と、を更に備えることを特徴とする請求項１〜３のいずれか１項に記載のスライドファスナーのマーキング装置。
【発明の詳細な説明】
【技術分野】
【０００１】
この発明は、スライドファスナーのマーキング装置に関する。
【背景技術】
【０００２】
従来では、周面に沿って長尺物を移動させる受ロールと、周面が長尺物を挟んで受ロールの周面に押圧されるスタンプロールと、表面側に活字が設けられ、スタンプロールに着脱自在に取り付けられる多孔質通気性金属よりなる活字体と、を備える長尺物印刷装置が知られている（例えば、特許文献１参照）。
【０００３】
また、従来では、スライドファスナーを載せるテーブルと、テーブルの上方に配置され、ファスナーテープに穴を開けるピンと、を備え、このピンにより衣服にスライドファスナーを縫製する際の目印となる穴を開ける加工装置が知られている（例えば、特許文献２参照）。
【先行技術文献】
【特許文献】
【０００４】
【特許文献１】日本国実公平０４−０４０９１７号公報
【特許文献２】米国特許第６，２４３，９２６号明細書
【発明の概要】
【発明が解決しようとする課題】
【０００５】
しかしながら、上記特許文献１に記載の長尺物印刷装置では、スライドファスナーのファスナーテープに活字（マーク）を等間隔に印刷することができるものの、マークの間隔を任意に設定することはできなかった。また、上記特許文献２に記載の加工装置では、ピンによりファスナーテープに穴を開けるため、ファスナーテープの強度が低下してしまう可能性があった。
【０００６】
本発明は、前述した課題に鑑みてなされたものであり、その目的は、ファスナーテープの強度を低下することなく、スライドファスナーのファスナーテープの任意の位置にマークを付与することができるスライドファスナーのマーキング装置を提供することにある。
【課題を解決するための手段】
【０００７】
本発明の上記目的は、下記の構成により達成される。
（１）スライドファスナー及び転写フィルムが載置される長尺形状の基台と、基台に設けられ、転写フィルムを加熱するヒーターと、スライドファスナーのファスナーテープを転写フィルムに押圧する押圧部と、を備え、押圧部は、基台の長さ方向に沿って位置調節可能な複数の押圧子を有することを特徴とするスライドファスナーのマーキング装置。
（２）押圧子は、押圧部に対して着脱可能であることを特徴とする（１）に記載のスライドファスナーのマーキング装置。
（３）押圧子の押圧面が凸凹形状に形成されることを特徴とする（１）又は（２）に記載のスライドファスナーのマーキング装置。
（４）転写フィルムは、テープ状の転写フィルムをロール状に巻いたものであり、ロール状の転写フィルムを回転可能に支持する第１支持部と、使用済みの転写フィルムを巻き取る回収ボビンを回転可能に支持する第２支持部と、を更に備えることを特徴とする（１）〜（３）のいずれか１つに記載のスライドファスナーのマーキング装置。
【発明の効果】
【０００８】
本発明によれば、スライドファスナー及び転写フィルムが載置される長尺形状の基台と、基台に設けられ、転写フィルムを加熱するヒーターと、スライドファスナーのファスナーテープを転写フィルムに押圧する押圧部と、を備え、押圧部は、基台の長さ方向に沿って位置調節可能な複数の押圧子を有するため、ファスナーテープの強度を低下することなく、スライドファスナーのファスナーテープの任意の位置にマークを付与することができる。
【図面の簡単な説明】
【０００９】
【図１】本発明に係るスライドファスナーのマーキング装置の一実施形態を説明する側面図である。
【図２】図１に示すマーキング装置の断面図である。
【図３】図２に示す基台を説明する一部切欠分解斜視図である。
【図４】図１に示す押圧部の下面図である。
【図５】図４に示す押圧子の分解斜視図である。
【図６】図５に示す押圧子の変形例の分解斜視図である。
【図７】図４に示す押圧子が位置調節可能であることを説明する拡大下面図である。
【図８】マーキング装置によりマークが等間隔で付与された状態のスライドファスナーを説明する表面図である。
【図９】マーキング装置によりマークが任意の間隔で付与された状態のスライドファスナーを説明する表面図である。
【図１０】マーキング装置によりマークが左右のファスナーテープで互いに異なる位置に付与された状態のスライドファスナーを説明する表面図である。
【発明を実施するための形態】
【００１０】
以下、本発明に係るスライドファスナーのマーキング装置の一実施形態について、図面に基づいて詳細に説明する。なお、以後の説明において、スライドファスナーに関しては、表側とは図８の紙面に対して手前側、裏側とは図８の紙面に対して奥側、上側とは図８の紙面に対して上側、下側とは図８の紙面に対して下側、左側とは図８の紙面に対して左側、右側とは図８の紙面に対して右側とする。また、スライドファスナーの左右方向は幅方向とも言う。また、スライドファスナーの上下方向は長さ方向とも言う。また、マーキング装置に関しては、上側とは図２の紙面に対して上側、下側とは図２の紙面に対して下側、前側とは図２の紙面に対して手前側、後側とは図２の紙面に対して奥側、左側とは図２の紙面に対して左側、右側とは図２の紙面に対して右側、また、マーキング装置の左右方向は幅方向とも言う。また、マーキング装置の前後方向は長さ方向とも言う。
【００１１】
本実施形態のマーキング装置１０は、図１及び図２に示すように、スライドファスナー１００及び転写フィルム１５０が載置される基台２０と、基台２０内に設けられ、転写フィルム１５０を加熱するヒーター３０と、基台２０の上方に配置され、スライドファスナー１００の左右のファスナーテープ１２０を転写フィルム１５０に押圧する押圧部４０と、を備える。
【００１２】
ここで、図８を参照して、本実施形態のマーキング装置１０によりマークが付与されるスライドファスナー１００について説明する。
【００１３】
スライドファスナー１００は、図８に示すように、織編製された左右一対のファスナーテープ１２０と、左右一対のファスナーテープ１２０の対向するテープ側縁部１２０ａにそれぞれ設けられ、複数のファスナーエレメント１３１を有する左右一対のファスナーエレメント列１３０と、左右一対のファスナーエレメント列１３０を噛合・分離させるスライダー１４０と、左右一対のファスナーエレメント列１３０の上端部にそれぞれ設けられる上止部１１１と、左右一対のファスナーエレメント列１３０の下端部に設けられる下止部１１２と、を備える。なお、下止部１１２は、開き具又は逆開き具であってもよい。
【００１４】
ファスナーエレメント列１３０は、合成樹脂製のモノフィラメントを一定方向に巻回すことにより形成されるコイル状のファスナーエレメント列であり、複数のファスナーエレメント１３１を有している。そして、ファスナーエレメント列１３０は、その内部に不図示の芯紐が挿通され、二重環縫いされる縫い糸１３３によってファスナーテープ１２０のテープ側縁部１２０ａの表面に縫い付けられる。また、モノフィラメントの合成樹脂材料としては、ポリエステル及びナイロンなどを挙げることができる。なお、ファスナーエレメント列１３０は、コイル状のファスナーエレメント列に限定されず、ジグザグ状のファスナーエレメント列、金属製のファスナーエレメント列、合成樹脂の射出成形によるファスナーエレメント列であってもよい。
【００１５】
スライダー１４０は、図８に示すように、胴体１４１と、胴体１４１の表面に設けられる引手取付部１４２と、引手取付部１４２に取り付けられる引手１４３と、を備える。そして、スライダー１４０を上止部１１１側に移動することで、左右一対のファスナーエレメント列１３０が噛合し、スライダー１４０を下止部１１２側に移動することで、左右一対のファスナーエレメント列１３０が分離する。
【００１６】
転写フィルム１５０は、図１に示すように、テープ状の転写フィルムをロール状に巻いたものであり、本実施形態では、左右のファスナーテープ１２０にマークをそれぞれ付与するため、２本のロール状の転写フィルム１５０が使用される。
【００１７】
基台２０は、図１及び図２に示すように、平面視長方形状のベースプレート２１と、ベースプレート２１上においてベースプレート２１の長さ方向に沿って設けられる台部２２と、を備え、長尺形状に形成されている。また、台部２２は、ベースプレート２１から起立する左右の側板２４と、左右の側板２４の上端を左右方向に連結する天板２３と、を有する。
【００１８】
また、図２及び図３に示すように、台部２２の天板２３の上面の幅方向中央には、天板２３上に載置されるスライドファスナー１００の左右一対のファスナーエレメント列１３０を収容するエレメント収容溝２３ａが、台部２２の長さ方向全体に亘って形成されている。また、台部２２の天板２３の上面のエレメント収容溝２３ａを挟んだ幅方向両側には、天板２３上に載置される左右の転写フィルム１５０を収容するフィルム収容溝２３ｂが、台部２２の長さ方向全体に亘ってそれぞれ形成されている。また、台部２２の天板２３の左右のフィルム収容溝２３ｂに対応する位置には、後述するヒーター３０の熱伝導部３３を挿通させるスリット状のヒーター挿通孔２３ｃが、上下に貫通してそれぞれ形成されている。
【００１９】
また、基台２０は、ベースプレート２１上の一端部（図１の左端部）に設けられ、ロール状の転写フィルム１５０を回転可能に支持する第１支持部２５と、ベースプレート２１上の他端部（図１の右端部）に設けられ、使用済みの転写フィルム１５０を巻き取る回収ボビン１５１を回転可能に支持する第２支持部２６と、を備える。
【００２０】
第１支持部２５は、ロール状の転写フィルム１５０を回転可能に支持する支持軸２５ａと、支持軸２５ａを支持するブラケット２５ｂと、を有する。第２支持部２６は、回収ボビン１５１を回転可能に支持する支持軸２６ａと、支持軸２６ａを支持するブラケット２６ｂと、を有する。また、ブラケット２５ｂ，２６ｂは、基台２０の左側の側板２４の延長部分であり、ベースプレート２１から起立するように形成されている。
【００２１】
ヒーター３０は、図２及び図３に示すように、台部２２内のベースプレート２１上に設けられるベース部３１と、ベース部３１上に設けられるヒーター本体３２と、ヒーター本体３２上に設けられる断面略Ｕ字状の熱伝導部３３と、を備え、上記したスリット状のヒーター挿通孔２３ｃと略同じ長さに形成されている。そして、熱伝導部３３の左右の熱伝導子３３ａは、台部２２の天板２３の左右のヒーター挿通孔２３ｃにそれぞれ挿通され、その熱伝導子３３ａの上面は、フィルム収容溝２３ｂの底面よりも若干上方に配置されている。また、ヒーター３０は、基台２０のベースプレート２１、天板２３、及び左右の側板２４で囲まれた空間内に配置されている。
【００２２】
押圧部４０は、不図示のレバーにより上下に移動可能であり、図２及び図４に示すように、基台２０の長さ方向に沿って設けられる平面視長方形状の支持プレート４１と、支持プレート４１に左右２列で配置され、基台２０の長さ方向に沿って位置調節可能な複数（本実施形態では７個ずつ）の押圧子４２と、を備える。
【００２３】
支持プレート４１には、左右２列の７個の押圧子４２をそれぞれ案内するスリット状の２本のガイド孔４１ａが、支持プレート４１の長さ方向に沿って上下に貫通して形成されている。また、このガイド孔４１ａの支持プレート４１の幅方向に対する形成位置は、押圧子４２が天板２３上に載置されるスライドファスナー１００のファスナーテープ１２０の外縁部を押圧可能な位置であれば任意である。
【００２４】
押圧子４２は、図５に示すように、支持プレート４１のガイド孔４１ａに上方から挿通されるボルト４３を備え、このボルト４３を締め付けることによりその位置が固定される。従って、ボルト４３を緩めたり締め付けたりすることによって、図７に示すように、押圧子４２をガイド孔４１ａの任意に位置に固定することができる。また、押圧子４２は、ボルト４３により支持プレート４１に対して着脱可能である。なお、押圧子４２の向きは任意である。
【００２５】
また、押圧子４２の下面の一端縁には、下方に突出する突条４４が形成されており、この突条４４の下面である押圧面４４ａはフラット形状に形成されている。従って、ファスナーテープ１２０には、実線のマークが付与される。なお、突条４４の押圧面４４ａは、図６に示すように、凸凹形状に形成されていてもよい。この場合、凸凹形状により押圧面４４ａの押圧力が高くなるので、ファスナーテープ１２０に点線のマークをより濃く付与することができる。
【００２６】
次に、本実施形態のマーキング装置１０の使用方法について説明する。まず、押圧部４０の左右２列の押圧子４２を任意の位置（間隔）に固定する。なお、本説明では、押圧子４２は等間隔且つ左右同じ位置に固定されている（図４参照）。次いで、２本の転写フィルム１５０を第１支持部２５の支持軸２５ａにセットし、２本の転写フィルム１５０の一端を第２支持部２６の支持軸２６ａにセットされた２個の回収ボビン１５１にそれぞれ取り付ける。このとき、転写フィルム１５０は、基台２０の天板２３のフィルム収容溝２３ｂ内を通るようにセットする。次いで、スライドファスナー１００を、そのファスナーエレメント列１３０を下側にして台部２２の天板２３上に載置する。これにより、ファスナーエレメント列１３０は、基台２０の天板２３のエレメント収容溝２３ａ内に配置され、左右のファスナーテープ１２０は、左右の転写フィルム１５０上にそれぞれ配置される（図２参照）。次いで、不図示の加熱スイッチをＯＮにして、ヒーター３０で転写フィルム１５０を加熱する。次いで、不図示のレバーにより押圧部４０を下動させて、押圧部４０の左右２列の押圧子４２で左右のファスナーテープ１２０を左右の転写フィルム１５０にそれぞれ押圧する（図２の二点鎖線参照）。次いで、一定時間経過後、不図示のレバーにより押圧部４０を上動させる。この結果、左右のファスナーテープ１２０の表面に複数のマークＭがそれぞれ付与される（図８参照）。次いで、回収ボビン１５１を回転させて、転写フィルム１５０を回収ボビン１５１側に送る（移動する）ことにより再度転写可能となる。以降、上記動作を繰り返すことにより、連続してスライドファスナー１００にマークＭを付与することができる。
【００２７】
なお、図８に示す例では、マークＭは等間隔に付与されているが、これに限定されず、図９に示すように、押圧子４２の数を減らして、マークＭを任意の間隔で付与するようにしてもよく、また、図１０に示すように、左右のファスナーテープ１２０で互いに異なる位置にマークＭを付与するようにしてもよい。
【００２８】
以上説明したように、本実施形態のマーキング装置１０によれば、スライドファスナー１００及び転写フィルム１５０が載置される長尺形状の基台２０と、基台２０内に設けられ、転写フィルム１５０を加熱するヒーター３０と、スライドファスナー１００のファスナーテープ１２０を転写フィルム１５０に押圧する押圧部４０と、を備え、押圧部４０は、基台２０の長さ方向に沿って位置調節可能な複数の押圧子４２を有するため、ファスナーテープ１２０の強度を低下することなく、スライドファスナー１００のファスナーテープ１２０の任意の位置にマークＭを付与することができる。
【００２９】
また、本実施形態のマーキング装置１０によれば、押圧子４２は、押圧部４０の支持プレート４１に対して着脱可能であるため、押圧子４２の数を容易に変更することができ、また、押圧子４２の列を左右のいずれか一方にすることができる。
【００３０】
また、本実施形態のマーキング装置１０によれば、ロール状の転写フィルム１５０を回転可能に支持する第１支持部２５と、使用済みの転写フィルム１５０を巻き取る回収ボビン１５１を回転可能に支持する第２支持部２６と、を備えるため、転写フィルム１５０の供給、回収、及び送り（移動）を容易に行うことができる。
【００３１】
なお、本発明は上記各実施形態に例示したものに限定されるものではなく、本発明の要旨を逸脱しない範囲において適宜変更可能である。
例えば、上記各実施形態では、スライドファスナーの表側にマークを付与する場合を例示したが、これに限定されず、スライドファスナーの裏側にマークＭを付与するようにしてもよい。
また、上記各実施形態では、ロール状の転写フィルムを使用したが、これに限定されず、ロール状に巻かれていなくてもよく、また、スライドファスナーと同じ長さの転写フィルムを使用してもよい。
また、押圧部の上下動は、手動式であってもよいし、電動式であってもよい。
【符号の説明】
【００３２】
１０    マーキング装置
２０    基台
２５    第１支持部
２６    第２支持部
３０    ヒーター
４０    押圧部
４１    支持プレート
４２    押圧子
４３    ボルト
４４    突条
４４ａ  押圧面
１００    スライドファスナー
１２０    ファスナーテープ
１５０    ロール状の転写フィルム
１５１    回収ボビン
【図１】
2013248801.tif 000003
【図２】
2013248801.tif 000004
【図３】
2013248801.tif 000005
【図４】
2013248801.tif 000006
【図５】
2013248801.tif 000007
【図６】
2013248801.tif 000008
【図７】
2013248801.tif 000009
【図８】
2013248801.tif 000010
【図９】
2013248801.tif 000011
【図１０】
2013248801.tif 000012